(57)【特許請求の範囲】
【請求項１】
前面側に遊技盤が着脱可能に取り付けられる内枠と、
前記内枠の側端部を軸支してその内枠が開閉可能に取り付けられる外枠と、
前記外枠の下枠部上面に幅方向に沿って設けられ閉塞された前記内枠の裏面下部に略当接する壁状部材と、
前記内枠の開放端側下部に形成され前記遊技盤の後方と下方に向けて開口した凹部と、
前記凹部に配置されて前記内枠の裏面に取り付けられる取付板の上部に嵌挿された支持軸と、前記支持軸に回動自在に取付けられたローラー取付部材と、前記支持軸に外挿され前記ローラー取付部材を前記内枠の後方へ付勢する弦巻バネと、前記ローラー取付部材の先端部に形成された脚部に嵌挿されたローラー軸と、前記ローラー軸に回転自在に取り付けられ前記内枠の下面よりも下方に下端部が突出したローラーと、を有する支持手段と、
前記支持手段の前記ローラーが乗り上げる乗り上げ面と、前記乗り上げ面の前側で前方に傾斜した傾斜面と、前記乗り上げ面の後端部で前記ローラーの乗り上げ位置を規制するストッパー部と、が設けられ、前記壁状部材に形成された略凹状部と、
前記支持手段に設けられ、前記内枠の閉塞時に前記略凹状部の上面を塞ぐ閉塞部材と、を有し、
前記内枠の閉塞時に、前記ローラー取付部材が回動して前記略凹状部に収納されると共に、前記ローラーが前記乗り上げ面に乗り上げて前記ストッパー部に接触し、前記ローラー取付部材が略垂直の姿勢となって前記内枠を支持することを特徴とする遊技機。
【発明の詳細な説明】
【０００１】
【発明の属する技術分野】
本発明は、内枠の下面側に形成される外枠との間の隙間から不正具を機器内部に侵入させ、機器が不正に操作されることを防止した遊技機に関する。
【０００２】
【従来の技術】
パチンコ機等の遊技機では、機器本体の外郭を構成して島設備に設置される外枠に、内枠が開閉可能に取り付けられており、内枠は、遊技盤や各種制御基板、ガラス枠、打球供給皿など、多くの部品が搭載されてかなりの重量があるため、内枠の片下がりを防止する支持機構を設けているものがある。
【０００３】
例えば、特開２００１−１２９２０５号公報では、内枠（前枠）裏面の開放端側下端部に、ローラーを組み込んだ支持機構（スライダー装置）を取り付け、内枠を閉じると、ローラーが外枠の下枠部に設けられたストッパーに乗り上げることで、内枠が支えるられるようになっている。またこの支持機構では、上端側を支点として回動し無負荷状態では弾性部材に付勢されて傾いた姿勢となる可動腕の下端部に、ローラーを設けていることで、可動腕の回動（姿勢変化）により、ローラー高さが変わるようになっている。さらに可動腕は、ローラーがストッパーの立壁（行止部）に当接する内枠の略閉塞完了位置で、直立姿勢に変わり、それに伴いローラーの位置を下げることによって、内枠の荷重を最大支持する構成である。これにより、ローラーがストッパー上を転がる内枠閉塞操作途中での、ローラーに掛かる荷重を減らし、摩擦負荷を軽減させて、閉塞完了の手前で操作性が悪くなることを防いでいる。
【０００４】
【発明が解決しようとする課題】
しかしながら、従来のパチンコ機は、外枠に対して内枠を開閉させるため、外枠の下部枠上面と内枠下面との間に隙間が設けられており、その隙間から、ピアノ線やセルロイド等の不正具を機器内部に侵入させて、機器が不正に操作されやすい問題がある。また近年では、装飾性の向上、軽量化やコストダウン等を図るため、外枠の内側部分や内枠全体を樹脂成形品にする機種が増えており、その場合、成形加工による寸法精度のばらつきや組み付け後の変形等を考慮して、上記の隙間を多少大きく設定する必要がある。そのため、不正具の侵入に対し、より弱い構造となる問題がある。
【０００５】
一方、内枠の支持機構を備えた機種では、ローラーを内枠の下面から下方に突出させることから、外枠との間に大きな隙間が設けられており、さらに、ローラーが乗り上げるストッパー部分では、ローラーを案内するストッパー前端面が前側に下降傾斜してより大きな隙間を形成している。したがって、この構成でも、内枠下面側の隙間から不正具が侵入されやすい欠点があり、その改善が求められる。
【０００６】
本発明は上記事実を考慮して、内枠の下面側に形成される外枠との間の隙間から不正具を機器内部に侵入させ、機器が不正に操作されることを防止した遊技機を提供することを課題とする。
【０００７】
【課題を解決するための手段】
請求項１に記載の発明は、前面側に遊技盤が着脱可能に取り付けられる内枠と、前記内枠の側端部を軸支してその内枠が開閉可能に取り付けられる外枠と、前記外枠の下枠部上面に幅方向に沿って設けられ閉塞された前記内枠の裏面下部に略当接する壁状部材と、前記内枠の開放端側下部に形成され前記遊技盤の後方と下方に向けて開口した凹部と、前記凹部に配置されて前記内枠の裏面に取り付けられる取付板の上部に嵌挿された支持軸と、前記支持軸に回動自在に取付けられたローラー取付部材と、前記支持軸に外挿され前記ローラー取付部材を前記内枠の後方へ付勢する弦巻バネと、前記ローラー取付部材の先端部に形成された脚部に嵌挿されたローラー軸と、前記ローラー軸に回転自在に取り付けられ前記内枠の下面よりも下方に下端部が突出したローラーと、を有する支持手段と、前記支持手段の前記ローラーが乗り上げる乗り上げ面と、前記乗り上げ面の前側で前方に傾斜した傾斜面と、前記乗り上げ面の後端部で前記ローラーの乗り上げ位置を規制するストッパー部と、が設けられ、前記壁状部材に形成された略凹状部と、前記支持手段に設けられ、前記内枠の閉塞時に前記略凹状部の上面を塞ぐ閉塞部材と、を有し、前記内枠の閉塞時に、前記ローラー取付部材が回動して前記略凹状部に収納されると共に、前記ローラーが前記乗り上げ面に乗り上げて前記ストッパー部に接触し、前記ローラー取付部材が略垂直の姿勢となって前記内枠を支持することを特徴としている。
【０００８】
請求項１に記載の発明では、内枠は側端部が外枠に軸支されて開閉可能に取り付けられるとともに、前面側に遊技盤が着脱可能とされる。この内枠を外枠に対して閉めると、その閉塞状態で、外枠の下枠部上面に幅方向に沿って設けられた壁状部材が内枠の裏面下部に略当接し、外枠の下枠部上面と内枠下面との間に形成される隙間を塞ぐ。また外枠の下枠部が樹脂製であれば、成形によって壁状部材を一体的に形成することもできる。さらに、内枠を樹脂製として変形等により隙間が大きくなることがあっても、その隙間は壁状部材によって確実に塞がれる。
【０００９】
これにより、内枠下面側の隙間からピアノ線等の不正具を機器内部に侵入させようとしても、不正具は壁状部材に阻まれて侵入できなくなり、したがって、機器の不正操作が防止される。
【００１１】
また、内枠の開閉動作時に、内枠に設けられた支持手段が外枠の下枠部上面に接して内枠を支えるため、内枠の片下がりや変形等が抑えられる。なお、支持手段にローラーを設けてそのローラーが下枠部上面に接する構成であるため、内枠開閉動作における摩擦負荷も低減されることになる。また、壁状部材の支持手段と対応する部位には略凹状部が設けられ、内枠を閉塞すると、支持手段はその略凹状部に収納されるとともに、略凹状部では内壁面が内枠の裏面と離間した状態となる。そして、内枠を閉塞し、支持手段が略凹状部に収納されると、略凹状部の開放された上面が支持手段に設けられた閉塞部材によって閉塞される。
【００１２】
これにより、内枠の下面から差し込んだ不正具を略凹状部を通して機器内部に侵入させようとしても、不正具は閉塞部材に阻まれて侵入できなくなる。このように、壁状部材に支持手段を収納する略凹状部を設けたことで、略凹状部の上面が開口部となってしまう構成においても、不正具の侵入を確実に防止することができる。
【００１３】
【発明の実施の形態】
以下、図面を参照して本発明の実施の形態を説明する。
【００１４】
図１及び図２には、本発明の一実施の形態に係るパチンコ機が示されている。図示のように、パチンコ機１０は外枠１２を備え、外枠１２の前面には、窓部を有する額縁状の内枠１４の一側部が開閉可能に取付けられている。内枠１４の窓部には、ガラス１６をガラスフレーム１８に装着したガラス枠２０の一側部が開閉可能に取付けられており、このガラス枠２０と内枠１４は、内枠１４の他側部に設けられた施錠装置（シリンダ）２２により施錠されるようになっている。
【００１５】
ガラス枠２０の下方位置には、パチンコ機本体内の賞球払出装置から賞球払出口２３を通して払い出された賞球や貸球を貯留して打球発射装置へと誘導する球皿部２４を備えた一体皿２６が一側部を内枠１４に開閉可能に取付けられている。一体皿２６の前面には、左側下部に灰皿２８が配置され、右側下部には打球発射装置（図示省略）から発射する打球の飛距離を調整するための発射ハンドル３０が設けられている。
【００１６】
また内枠１４の窓部には、遊技盤載置台に載せて交換可能とされた遊技盤３２が窓部を塞ぐように設置されている。遊技盤３２は、ベニヤ板３３の表面に樹脂材料で形成されたシート状のセル３４が貼着されて、盤面３２Ａに、外バンド３６及び内バンド３７とレール飾り３８、３９とによって囲まれた略円形状の遊技領域４０が形成されており、セル３４の表面で遊技領域４０と対応する範囲には、背景画像や各種キャラクター画像等を含む装飾画（図示省略）が印刷されている。
【００１７】
遊技領域４０には、特別図柄表示装置４２や大入賞口（変動入賞装置）４４等の役物、始動口４６や入賞口４８、風車５０等の遊技部品と、左右側端部に配置されたサイド飾り５２Ａ、５２Ｂが取り付けられており、最下位置にアウト口５４が配置されている。また遊技盤３２の右側端部に配置されたレール飾り３８の右下隅には、証紙５６を貼り付た証紙台５８が取り付けられており、この証紙台５８は、左方に配置されたヒンジ板６０に支持されて、盤面３２Ａに対して開閉動するようになっている。
【００１８】
なお、本実施形態のパチンコ機１０は、打球発射装置を遊技盤３２の左側下方に配置して遊技球を上方に発射する機種であり、従来機種に比べ、アウト口５４の位置を下げることにより遊技領域４０が拡大されている。
【００１９】
またパチンコ機１０の正面には、図２に示すように、ガラス枠２０の前面に、賞球表示灯や完了表示灯等の機能を有する複数の表示灯６２、６３がガラス１６を取り囲むように配列されており、左上隅近傍と右側端上部に、遊技の効果音を発生するスピーカー６４、６６が配置されている。
【００２０】
次に、本実施の形態に係る内枠下面側からの不正具の侵入を防止する構造について詳細に説明する。図３には、内枠１４を裏面側から見た下部側が示されており、図４には、外枠１２の前面下部側が示されている。
【００２１】
本実施形態では、内枠１４が樹脂成形品とされ、裏面１４Ａに、制御基板７０等を設けた機構枠体としての裏セット７２が取り付けられている。さらに開放端側となる側面１４Ｂ寄りには、後方と下方が開口した凹部７４が形成されており、この凹部７４にローラー・ユニット７６が配設されている。
【００２２】
ローラー・ユニット７６は、凹部７４に配置されて内枠１４の裏面１４Ａに取り付けられる金属製の取付板７８を備えている。取付板７８の上部には、支持軸８０が嵌挿されており、支持軸８０には、板金により断面コ字状に形成されたローラー取付部材８２が回動自在に取り付けられている。さらにローラー取付部材８２は、支持軸８０に外挿された弦巻バネ８４によって、後方（図中矢印Ａ方向）へ付勢されている。
【００２３】
ローラー取付部材８２の先端側には、矩形平板状の閉塞板８６が設けられている。この閉塞板８６は、ローラー取付部材８２を裏面１４Ａ側（矢印Ａ方向とは反対の方向）に押し付けて略垂直の姿勢としたときに、内枠１４の下面１４Ｃと略平行になるようにされている。また、ローラー取付部材８２の先端部は二股状の脚部８８とされており、脚部８８に嵌挿されたローラー軸９０に、ローラー部分が金属製とされたローラー９２が回転自在に取り付けられている。ローラー９２は、下端部が内枠１４の下面１４Ｃよりも少し下方に突出しており、上記のように、ローラー取付部材８２が略垂直姿勢にされることで、その高さが下げられる構成である。
【００２４】
一方、外枠１２は木製とされ、下枠部９４に、下枠部９４の前面及び上面（枠内側面）を覆う断面逆Ｌ字形をした化粧板９６が取り付けられている。化粧板９６は内枠１４と同じ樹脂材料によって形成された成形品とされ、上面９６Ａの後端部に、所定高さの壁部９８が幅方向に沿って一体的に設けられている。
【００２５】
壁部９８のローラー・ユニット７６と対応する部位は、後方へ凹状に屈曲した凹状部１００とされており、この凹状部１００に、ローラー・ユニット７６のローラー９２が乗り上げる金属製の支持板１０２が配設されている。
【００２６】
図５には、凹状部１００周辺の拡大図が示されている。図示のように、凹状部１００の底面とその前側領域（化粧板９６の上面９６Ａの一部）は開口して下枠部９４の上面９４Ａが露出しており、その露出部分に、支持板１０２の左右側端部に設けられた取付部１０４が２本の皿ネジ１０６によって取り付けられている。また、支持板１０２の中央部は取付部１０４よりも隆起した乗り上げ面１０８とされ、乗り上げ面１０８の前側は、前方へ下降傾斜した傾斜面１１０となっている。さらに、乗り上げ面１０８の後端部には、ローラー９２の乗り上げ位置を規制するストッパー部（立壁）１１２が乗り上げ面１０８に対して略垂直に設けられている。
【００２７】
また、化粧板９６の上面９６Ａは、乗り上げ面１０８よりも少し高くされており、上面９６Ａの前側も、前方へ下降傾斜した傾斜面９６Ｂとされている。さらに、凹状部１００が設けられている領域の傾斜面９６Ｂ前端部は、支持板１０２の傾斜面１１０前端部高さとほぼ同じ高さの段差部１１４とされている。
【００２８】
次に、本実施形態の作用を説明する。図６は、外枠１２に対し内枠１４を閉じた状態の側断面図であり、図７〜図９は、ローラー・ユニット７６部分での内枠１４の閉塞動作を示した説明図である。
【００２９】
図６に示すように、ローラー・ユニット部以外では、内枠１４を閉じると、内枠１４の裏面１４Ａ下部が外枠１２の下枠部９４に設けられた化粧板９６の壁部９８に当接して、外枠１２（化粧板９６の上面９６Ａ）と内枠１４の下面１４Ｃとの間に形成されるの隙間１１６は塞がれる。これにより、隙間１１６からピアノ線Ｐ等の不正具を機器内部に侵入させようとしても、ピアノ線Ｐは壁部９８に阻まれて侵入できなくなる。
【００３０】
また、ローラー・ユニット７６部分では、図７のように、開放状態の内枠１４を閉じる方向（図中矢印Ｂ方向）に押すと、図８のように、ローラー・ユニット７６のローラー９２が支持板１０２の傾斜面１１０に接し、傾斜面１１０上を転がりながら乗り上げ面１０８側に移動する。そして内枠１４を完全に閉じると、乗り上げ面１０８に乗り上げたローラー９２は、凹状部１００に収納されるとともに、支持板１０２のストッパー部１１２に当接して乗り上げ面１０８上での位置が定められる。またローラー取付部材８２は、支持軸８０を支点に弦巻バネ８４の付勢力に反して図中矢印Ｃ方向に回動し、略垂直の姿勢となる。
【００３１】
これにより、内枠１４は、ローラー・ユニット７６を介して外枠１２の下枠部９４上面（支持板１０２）に支持され、遊技盤３２等の重量部品を搭載することによる片下がりや変形等が抑えられる。この内枠１４の変形量が大きくなると、例えば、内枠１４側面部分での外枠１２との間の隙間が大きくなって、不正具が入りやすくなるなどの不都合を生じる場合があるが、本実施形態では、上記の構成によって不正具の侵入防止が強化されている。
【００３２】
また、内枠１４の開閉時には、ローラー９２が支持板１０２上を転動するため、摩擦負荷が低減されており、さらに、ローラー９２が乗り上げ面１０８上を転がる内枠１４の閉塞操作途中では、ローラー取付部材８２が傾いてローラー９２に掛かる内枠１４の荷重が軽くなる。そして、内枠１４の略閉塞完了位置で、ローラー９２が支持板１０２のストッパー部１１２に当接し、ローラー取付部材８２が略直立姿勢に変わって内枠１４の荷重を最大支持する。そのため、閉塞完了手前での摩擦負荷の増加が抑えられ、閉塞時の操作力を軽くすることができている。
【００３３】
また、この内枠１４を閉じた状態では、凹状部１００の開放された上面がローラー・ユニット７６の閉塞板８６によって塞がれる。これにより、隙間１１６から差し込んだピアノ線Ｐを壁部９８の凹状部１００を通して機器内部に侵入させようとしても、ピアノ線Ｐは閉塞板８６に阻まれて侵入できなくなる。
【００３４】
以上説明したように、本実施形態のパチンコ機１０では、内枠１４を閉塞した状態で下面１４Ｃ側に形成される外枠１２との間の隙間１１６が塞がれるため、隙間１１６からピアノ線Ｐ等の不正具が機器内部に侵入できなくなり、機器の不正操作が防止される。
【００３５】
また、本実施形態では、壁部９８にローラー・ユニット７６を収納する凹状部１００を設けたことで、凹状部１００の上面が開口部となっているが、その開口部はローラー・ユニット７６の閉塞板８６に閉塞されるため、そこでも不正具の侵入を確実に防止することができる。
【００３６】
なお、上述した実施形態では、内枠１４を閉じると、内枠１４の裏面１４Ａが外枠１２側の壁部９８に完全に当接して隙間１１６を塞ぐ構造となっている。しかし、本実施形態のように内枠１４が樹脂成形品の場合、反りや組み付け誤差等の累積によっては、内枠１４の閉塞性が悪くなることも危惧される。そのため、内枠１４の裏面１４Ａと壁部９８との間に、例えば、不正具が通過することのできない僅かな隙間を設ける構造（略当接状態）とし、そのような不具合を回避するようにしてもよい。
【００３７】
また、壁部９８に設ける凹状部１００とその上面を塞ぐ閉塞板８６の形状については、本実施形態のような矩形状以外でもよく、例えば、凹状部を湾曲状に形成して略楕円形状の閉塞板を組み合わせることなどもできる。また本発明は、本実施形態のようなローラー・ユニットを用いない機種に適用することもできる。
【００３８】
【発明の効果】
本発明の遊技機は上記構成としたので、内枠の下面側に形成される外枠との間の隙間から不正具を機器内部に侵入させ、機器を不正に操作することが防止される。
【図面の簡単な説明】
【図１】本発明の一実施形態に係るパチンコ機を示した斜視図である。
【図２】本発明の一実施形態に係るパチンコ機を示した正面図である。
【図３】本発明の一実施形態に係る内枠の下部側を裏面側から見た斜視図である。
【図４】本発明の一実施形態に係る外枠の下部側を前面側から見た斜視図である。
【図５】図４の要部を拡大した斜視図である。
【図６】本発明の一実施形態に係る外枠に対し内枠を閉じた状態の部分側断面図である。
【図７】本発明の一実施形態に係るローラー・ユニット部分での内枠の閉塞動作を示した説明図で、外枠に対し内枠が開かれた状態の部分側断面図である。
【図８】本発明の一実施形態に係るローラー・ユニット部分での内枠の閉塞動作を示した説明図で、内枠閉塞途中の部分側断面図である。
【図９】本発明の一実施形態に係るローラー・ユニット部分での内枠の閉塞動作を示した説明図で、内枠閉塞状態の部分側断面図である。
【符号の説明】
１０        パチンコ機（遊技機）
１２        外枠
１４        内枠
１４Ａ      裏面
３２        遊技盤
７６        ローラー・ユニット（支持手段）
８６        閉塞板（閉塞部材）
９２        ローラー（支持手段）
９４        下枠部
９６Ａ      上面
９８        壁部（壁状部材）
１００        凹状部（略凹状部）
【図１】
0004220706.tif 000002
【図２】
0004220706.tif 000003
【図３】
0004220706.tif 000004
【図４】
0004220706.tif 000005
【図５】
0004220706.tif 000006
【図６】
0004220706.tif 000007
【図７】
0004220706.tif 000008
【図８】
0004220706.tif 000009
【図９】
0004220706.tif 000010